(57)【特許請求の範囲】
【請求項１】
本体に被挿入物を挿抜する挿入口を覆うカバー構造であって、
前記本体に回動可能に支持されるカバーと、
該カバーに回動可能に支持される子扉とで構成され、
前記カバーは、前記挿入口を開放し前記被挿入物の前記本体への挿入を可能とする開位置と、前記被挿入物が前記本体へ挿入された後前記挿入口を覆う閉位置との間で回動可能であり、
前記子扉は、前記カバーとともに前記挿入口を完全に覆う閉位置と、前記カバーのみが前記挿入口を覆い前記子扉の部分が開口した開位置との間で回動可能であることを特徴とするカバー構造。
【請求項２】
被挿入物が前記挿入口から前記本体に挿入された後前記カバーが閉じられたときに、該被挿入物に当接して該被挿入物が前記挿入口から抜き出る方向へ移動することを妨げるリブを前記カバーに設けたことを特徴とする請求項１記載のカバー構造。
【請求項３】
前記本体あるいは前記カバーまたはこれらの両方に弾性係止片を設け、
前記カバーが前記閉位置にあるときに、前記弾性係止片を介して前記カバーが前記本体に係止されることを特徴とする請求項１または２記載のカバー構造。
【請求項４】
前記カバーあるいは前記子扉またはこれらの両方に弾性係止片を設け、
前記子扉が前記閉位置にあるときに、前記弾性係止片を介して前記子扉が前記カバーに係止されることを特徴とする請求項１、２または３記載のカバー構造。
【請求項５】
前記カバーあるいは前記子扉またはこれらの両方に弾性係止片を設け、
前記子扉が前記開位置にあるときに、前記弾性係止片を介して前記カバーが前記カバーに係止されることを特徴とする請求項１乃至４のいずれかに記載のカバー構造。
【発明の詳細な説明】
【０００１】
【発明の属する技術分野】
本発明は、カバー構造に関し、特に、商品の発注データを転送する際に使用される携帯発注端末等の情報処理装置に使用されるカバー構造に関する。
【０００２】
【従来の技術】
従来、店舗等において、売場や、在庫置き場、事務所等のバックヤードにおいて、商品の発注データ等を入力してチェーン店の本部等へ転送するため、図９に示すような携帯発注端末１０１が使用されている。この携帯発注端末１０１は、例えば、Ａ４サイズに形成され、タッチパネル及び１０．４インチ程度の液晶画面を備え、商品の絵や理解しやすいように製作されたガイド等を見ながら発注作業等を行うように構成されている。
【０００３】
そして、この携帯発注端末１０１では、上記業務のためのデータ通信を行うため、携帯発注端末１０１以外の装置と赤外線を利用した近距離の通信を行ったり、ＰＣカードにデータを記憶させた後ＰＣカードを他の端末に接続してデータの授受を行ったり、ＰＣカード部に無線ＬＡＮカードや、ケーブル付きＬＡＮカードや、モデムカード等を挿入してデータ通信が行なわれている。
【０００４】
上記方法において、携帯発注端末１０１に汎用性を持たせるためには、ＰＣカードを挿抜する作業は重要性が高く、ＰＣカードの挿抜の作業性を向上させること、及びデータの保持を確実に行うことが必要となる。
【０００５】
ＰＣカードの挿抜は、図１０に示すように、基板１１３にＰＣカードコネクタ１０２を設け、ＰＣカード１３をＰＣカードコネクタ１０２に対してスライドさせることにより行われる。このようにして、ＰＣカードコネクタ１０２を安価なものとすることができるとともに、装置の信頼性を確保している。
【０００６】
そして、ＰＣカード１３を抜き出す場合には、インジェクトボタン１０４を押して、ある程度ＰＣカード１３を外側に押し出した後、指でＰＣカード１３を抜き出す。ここで、ＰＣカード１３の出し入れを指等でスムーズに行うためには、ＰＣカード１３の周辺に十分な空間を用意する必要がある。
【０００７】
図１１及び図１２に示すように、一般的に、ＰＣカード１３の挿入部１０５は、ＰＣカード１３を収納した時のＰＣカード１３の外周面を携帯発注端末１０１の外形に合わせることにより、携帯発注端末１０１の外側に指による操作エリアを形成して上記空間を確保している。
【０００８】
また、上記挿入部１０５の挿入口には、カバーが全く備えられていないか、図１３に示すように、カバーが備えられている場合でも、通常使用されるＰＣＭＣＩＡ／ＪＥＩＤＡ規格の外形寸法を有する図２０に示すＰＣカード１３以外に、ＬＡＮカードやモデムカード等の外部接続されるように構成された図２１に示すようなＰＣカード１４や、規格外の外形寸法を有するため携帯発注端末１０１の外形からはみ出る図２２に示すようなＰＣカード１５（Ｂで示す部分がＰＣカード１３より長い）を使用する際には、図１４に示すように、カバー１０６の一部としての子扉１０７を取り外すことができるように構成されている。
【０００９】
すなわち、これらのＰＣカードを使用する際には、挿入部１０５の挿入口にカバーが備えられていない携帯発注端末１０１の場合には、そのままＰＣカードを差し込めば良く、また、通常使用されるＰＣカード１３を使用する際には、図１５に示すように、まず、カバー１０６を開くと、これに伴って子扉１０７が開き、図１６に示すように、ＰＣカード１３を矢印Ｘ方向に挿抜でき、ＰＣカード１３が完全に挿入されると、図１３に示すようにカバー１０６が完全に閉じられる。
【００１０】
一方、規格外の寸法を有するＰＣカード１０８や、外部接続されるＰＣカード１０９を使用する場合には、図１７及び図１８に示すように子扉１０７を取り外してこれらのＰＣカード１０８、１０９が挿入される。
【００１１】
【発明が解決しようとする課題】
しかし、上記従来の携帯発注端末１０１を使用して発注作業等を行う者は、通常のパソコンの使用者のようにソフトウェアを含む装置の取り扱いに習熟していないため、安易にＰＣカードが抜かれたり、ＰＣカードの挿入時に装置の扱いが慎重でなかったりする場合があって、ＰＣカード内のデータが消失するおそれがある。
【００１２】
また、上記従来の携帯発注端末１０１では、子扉１０７を取り外すと、使用者はこの子扉１０７を元に戻すことを行わないことが多く、携帯発注端末１０１内に塵埃、異物が侵入する可能性が高くなるという問題がある。
【００１３】
さらに、子扉１０７をカバー１０６から分離可能としているため、子扉１０７を紛失しやすく、その結果、携帯発注端末１０１内に塵埃、異物が侵入する可能性が高くなるという問題がある。
【００１４】
また、カバー自体が備えられていない場合には、携帯発注端末１０１の内部に直接塵埃、異物が侵入するため、図１９に示すように、携帯発注端末１０１の内部にばね１１０を備えるシャッター１１１を装着し、図１９（ｂ）に示すように、ＰＣカード１３を挿入し、図１９（ａ）に示すように、ＰＣカード１３を矢印Ｙ方向に移動させることによりＰＣカード１３を抜き出した後、ばね１１０によってカード挿入口１１２を閉じるように構成した装置も存在するが、シャッター１１１の隙間から装置内部へ塵埃等が侵入するおそれがある。
【００１５】
そこで、本発明は上記従来のカバー構造における問題点に鑑みてなされたものであって、被挿入物としてのＰＣカード内のデータが消失する等の危険性が低くて装置の信頼性が高く、本体内へ塵埃、異物が侵入する可能性の低いカバー構造を提供することを目的とする。
【００１６】
【課題を解決するための手段】
上記目的を達成するため、請求項１記載の発明は、本体に被挿入物を挿抜する挿入口を覆うカバー構造であって、前記本体に回動可能に支持されるカバーと、該カバーに回動可能に支持される子扉とで構成され、前記カバーは、前記挿入口を開放し前記被挿入物の前記本体への挿入を可能とする開位置と、前記被挿入物が前記本体へ挿入された後前記挿入口を覆う閉位置との間で回動可能であり、
前記子扉は、前記カバーとともに前記挿入口を完全に覆う閉位置と、前記カバーのみが前記挿入口を覆い前記子扉の部分が開口した開位置との間で回動可能であることを特徴とする。
【００１７】
請求項２記載の発明は、被挿入物が前記挿入口から前記本体に挿入された後前記カバーが閉じられたときに、該被挿入物に当接して該被挿入物が前記挿入口から抜き出る方向へ移動することを妨げるリブを前記カバーに設けたことを特徴とする。
【００１８】
請求項３記載の発明は、前記本体あるいは前記カバーまたはこれらの両方に弾性係止片を設け、前記カバーが前記閉位置にあるときに、前記弾性係止片を介して前記カバーが前記本体に係止されることを特徴とする。
【００１９】
請求項４記載の発明は、前記カバーあるいは前記子扉またはこれらの両方に弾性係止片を設け、前記子扉が前記閉位置にあるときに、前記弾性係止片を介して前記子扉が前記カバーに係止されることを特徴とする。
【００２０】
請求項５記載の発明は、前記カバーあるいは前記子扉またはこれらの両方に弾性係止片を設け、前記子扉が前記開位置にあるときに、前記弾性係止片を介して前記カバーに係止されることを特徴とする。
【００２１】
そして、請求項１記載の発明によれば、通常使用する被挿入物が挿入口を介して本体に挿入された場合には、カバー及び子扉によって挿入口を完全に覆うことができるため、挿入口からの塵埃、異物の侵入を防止することができる。また、被挿入物が付属物を伴う場合や、通常使用する被挿入物より寸法の大きい被挿入物が挿入された場合には、カバーのみが挿入口を覆い子扉の部分が開口した開位置とすることにより、この開口から被挿入物の付属物または被挿入物自体を本体の外側に向かって突出させることができるため、子扉をカバーから分離する必要がなく子扉を紛失するおそれがないとともに、前記付属物を伴う被挿入物等を使用した後子扉を閉位置に戻すことにより再び挿入口を完全に覆うことができるため、本体内に塵埃、異物が侵入する可能性を低くすることができる。
【００２２】
請求項２記載の発明によれば、被挿入物が挿入口から抜き出される方向へ移動することを妨げるリブをカバーに設けたため、被挿入物の本体からの抜けを防止することができ、装置の信頼性を高めることができる。
【００２３】
請求項３記載の発明によれば、これによって、挿入口を覆った状態でカバーを本体に固定することができるため、挿入口からの塵埃、異物の侵入を確実に防止することができる。
【００２４】
請求項４記載の発明によれば、子扉が閉位置にあるときに、弾性係止片を介して子扉がカバーに係止されるため、カバー及び子扉によって挿入口を完全に覆った状態でカバー及び子扉を本体に固定することができ、挿入口からの塵埃、異物の侵入をより確実に防止することができる。
【００２５】
請求項５記載の発明によれば、子扉を閉位置で使用しない場合でも、カバーに対する子扉の相対位置が変化せず、カバーを操作する際に子扉が邪魔になることがなく、操作性が向上する。
【００２６】
【発明の実施の形態】
次に、本発明にかかるカバー構造の実施の形態の具体例を図面を参照しながら説明する。
【００２７】
図１に示すように、本実施例では、従来例の場合と同様に、携帯発注端末１に本発明にかかるカバー構造を適用した場合について説明する。
【００２８】
この携帯発注端末１には、図２に拡大図が示されるように、ＰＣカード挿入部２０にカバー２を有し、カバー２には子扉３が回転用軸６（図３参照）を介して回動可能に備えられる。尚、これらカバー２及び子扉３は、可撓性を有するプラスチック材料、硬質ゴム等で成形される。
【００２９】
また、図３に示すように、このカバー構造では、子扉３を伴うカバー２が携帯発注端末１の本体１ａに回動可能に備えられ、さらに、子扉固定用爪４と、子扉収納時固定用爪５と、回転用軸６と、リブ７と、カバー固定用爪８とを備え、これらの部材の材質にも、カバー２と同様に可撓性材料が使用される。
【００３０】
子扉固定用爪４は、カバー２の裏面の左右両端部近傍に立設され、子扉３がカバー２とともにＰＣカード挿入部２０を覆う際に子扉３と係合し、子扉３をカバー２に固定する。
【００３１】
子扉収納時固定用爪５は、カバー２の裏面の左右両端部近傍に立設され、子扉３を折り畳んでカバー２の裏側に収納した際に子扉３と係合し、子扉３をカバー２に固定する。
【００３２】
リブ７は、カバー２の裏面の中央部近傍に相対向して立設され、ＰＣカード挿入部２０に挿入されたＰＣカードの抜けを防止するように機能する。
【００３３】
カバー固定用爪８は、カバー２の裏面の左右両端部近傍に立設され、カバー２がＰＣカード挿入部２０を覆ったときに、カバー２を携帯発注端末１の本体１ａに固定する。
【００３４】
次に、上記構成を有するカバー構造の動作を図１乃至図８を参照しながら説明する。
【００３５】
まず、携帯発注端末１において、ＰＣＭＣＩＡ／ＪＥＩＤＡ規格ＴＹＰＥＩまたはＴＹＰＥＩＩの通常使用されるＰＣカード１３を使用する場合には、図３に示すように、カバー２を回転させて開き、ＰＣカード１３を挿入する。そして、カバー２を開動作時とは逆方向に回転させてカバー固定用爪８を本体１ａに係合させてカバー２を携帯発注端末１に固定する。この時、子扉３はカバー２に固定されたままであるので、図４に示すように、リブ７はＰＣカード１３の端面を抑えることとなり、これによってＰＣカード１３のＰＣカード挿入部２０からの抜けを防止することができる。また、同時に、ＰＣカード１３の挿入口における防塵性を保つことができる。尚、ＰＣカード１３を取り出すには、上記の逆の動作を行う。
【００３６】
次に、外部接続用ケーブルが接続されているＰＣカードを使用する場合について説明する。
【００３７】
図３に示すように、カバー２を回転させて開いた後、子扉固定用爪４によってカバー２に固定されている子扉３を指で押圧することにより、子扉固定用爪４の係合を解いて子扉３をカバー２から外し、図５に及び図６に示すように、子扉３を矢印Ｚ方向に回転させて子扉収納時固定用爪５に係合させて固定する。
【００３８】
次に、図７に示すように、ＰＣカード１４を携帯発注端末１に挿入した後、カバー２を閉める方向、すなわち矢印Ａ方向に回転させ、カバー固定用爪８（図３参照）を本体１ａに係合させて固定する。これによって、子扉３をカバー２から分離させることなくＰＣカード１４の装着とケーブルの接続を行うことができる。尚、この時、子扉３は子扉収納時固定用爪５によってカバー２に固定されているので動くことはない。
【００３９】
次に、ＰＣＭＣＩＡ／ＪＥＩＤＡ規格ＴＹＰＥＩ、ＴＹＰＥＩＩの通常使用されるＰＣカード１３よりも大きいＰＣカード１５を使用する場合には、図３に示すように、カバー２を回転させて開いた後、子扉固定用爪４によってカバー２に固定されている子扉３を指で押圧することにより、子扉固定用爪４の係合を解いて子扉３をカバー２から外し、図５及び図６に示すように、矢印Ｚ方向に回転させて子扉収納時固定用爪５に係合させて固定する。これによって、カバー２から子扉３を分離させることなくＰＣカード１５の装着を行うことができる。尚、この時、子扉３は子扉収納時固定用爪５によってカバー２に固定されているので動くことはない。
【００４０】
尚、上記実施例においては、本発明にかかるカバー構造を携帯発注端末のＰＣカード挿入部に適用した場合について説明したが、デジタルデータ処理を行う撮影機その他の情報処理装置におけるＰＣカード挿入部等にも適用することができ、さらに、ＰＣカードに限らずカードまたはカセット形状に形成された一般的な挿入物を挿入する部分にも同様に適用することができる。
【００４１】
【発明の効果】
以上説明したように、請求項１記載の発明によれば、通常使用する被挿入物が挿入口を介して本体に挿入された場合、被挿入物が付属物を伴う場合、及び通常使用する被挿入物より寸法の大きい被挿入物が挿入された場合のいずれの場合にも、挿入口からの塵埃、異物の侵入を防止することが可能なカバー構造を提供することができる。
【００４２】
請求項２記載の発明によれば、上記効果に加え、被挿入物の本体からの抜けを防止することができ、装置の信頼性を高めることが可能なカバー構造を提供することができる。
【００４３】
請求項３及び請求項４記載の発明によれば、上記効果に加え、挿入口からの塵埃、異物の侵入をさらに確実に防止することができる。
【００４４】
請求項５記載の発明によれば、上記効果に加え、カバーを操作する際に子扉が邪魔になることがなく、操作性の良いカバー構造を提供することができる。
【図面の簡単な説明】
【図１】本発明にかかるカバー構造の一実施例を適用した携帯発注端末を示す斜視図である。
【図２】図１の携帯発注端末のＰＣカード挿入部の拡大斜視図である。
【図３】図２のＰＣカード挿入部のカバーを開いた状態を示す斜視図である。
【図４】図２のＰＣカード挿入部のカバー及び子扉を閉じた状態を示す断面図である。
【図５】図２のＰＣカード挿入部の子扉を折り畳んだ状態を示す斜視図である。
【図６】図２のＰＣカード挿入部のカバーを閉じて子扉を折り畳んだ状態を示す断面図である。
【図７】図２のＰＣカード挿入部にケーブルを伴うＰＣカードを挿入した状態を示す断面図である。
【図８】図２のＰＣカード挿入部に通常使用するＰＣカードよりも大きなＰＣカードを挿入した状態を示す断面図である。
【図９】従来のカバー構造の一実施例を適用した携帯発注端末を示す斜視図である。
【図１０】従来のＰＣカードコネクタにＰＣカードを挿入した状態を示す斜視図である。
【図１１】図Ｐ１の携帯発注端末のＰＣカード挿入部を示す斜視図である。
【図１２】図１１のＰＣカード挿入部の拡大図である。
【図１３】従来の子扉を有するカバー構造の一例を示す斜視図である。
【図１４】従来の子扉を有するカバー構造の一例を示す斜視図である。
【図１５】図１３のカバー構造の動作を説明するための斜視図である。
【図１６】図１３のカバー構造の動作を説明するための斜視図である。
【図１７】図１３のカバー構造に規格外の寸法を有するＰＣカードを挿入した状態を示す斜視図である。
【図１８】図１３のカバー構造にケーブルを伴うＰＣカードを挿入した状態を示す斜視図である。
【図１９】従来のＰＣカード挿入部の他の例として、携帯発注端末の内部にばねを備えたシャッターを装着した例を示す図であって、（ａ）はＰＣカードを挿入する前の状態を示す断面図、（ｂ）はＰＣカードを挿入した状態を示す断面図である。
【図２０】通常使用されるＰＣＭＣＩＡ／ＪＥＩＤＡ規格の外形寸法を有するＰＣカードを示す図であって、（ａ）は正面図、（ｂ）は側面図、（ｃ）は平面図である。
【図２１】外部接続されるように構成されたＰＣカードの一例を示す図であって、（ａ）は正面図、（ｂ）は側面図、（ｃ）は平面図である。
【図２２】規格外の外形寸法を有するＰＣカードの一例を示す図であって、（ａ）は正面図、（ｂ）は側面図、（ｃ）は平面図である。
【符号の説明】
１      携帯発注端末
２            カバー
３            子扉
４            子扉固定用爪
５            子扉収納時固定用爪
６            回転用軸
７            リブ
８            カバー固定用爪
１３        ＰＣカード
１４        ＰＣカード
１５        ＰＣカード
２０        ＰＣカード挿入部
【図１】
0003564655.tif 000002
【図２】
0003564655.tif 000003
【図３】
0003564655.tif 000004
【図４】
0003564655.tif 000005
【図５】
0003564655.tif 000006
【図６】
0003564655.tif 000007
【図７】
0003564655.tif 000008
【図８】
0003564655.tif 000009
【図９】
0003564655.tif 000010
【図１０】
0003564655.tif 000011
【図１１】
0003564655.tif 000012
【図１２】
0003564655.tif 000013
【図１３】
0003564655.tif 000014
【図１４】
0003564655.tif 000015
【図１５】
0003564655.tif 000016
【図１６】
0003564655.tif 000017
【図１７】
0003564655.tif 000018
【図１８】
0003564655.tif 000019
【図１９】
0003564655.tif 000020
【図２０】
0003564655.tif 000021
【図２１】
0003564655.tif 000022
【図２２】
0003564655.tif 000023